(57)【特許請求の範囲】
【請求項１】
底容器と蓋容器を含んで構成され、前記蓋容器の閉蓋時に前記底容器と蓋容器の間に通気部を有して収容された苺に対し横方向からの通気を可能にした苺包装容器であって、
透明または透視性を有し、全体が一枚または単一の合成樹脂シートで成形された容器本体と、
該容器本体内に収容して使用される緩衝用の敷マットと、
を備え、
前記容器本体は、
基板から下方へ突出する凹部である収容部を所要数備え、開口縁部の形状が四角形状の底容器と、
所要の一辺側が連結部を介して前記底容器とつながれて前記底容器と一体となっており、開口縁部の形状が四角形状の蓋容器と、
を備え、
前記底容器と蓋容器は、一枚又は単一の合成樹脂シートで成形され、前記連結部には通気孔を有し、
前記底容器の前記基板には、
前記蓋容器を閉じたときに蓋容器の天部に内側から当接する高さ、または多少の隙間がある高さに設定されている係合体が、上方へ垂直に立設されており、
前記底容器と蓋容器のそれぞれの開閉側の辺側には、協働して蓋容器の閉じる位置を決め係合状態を保持できるように形成されており、係合凸部と係合凹部で構成される間隔固定手段を備え、
前記底容器を前記蓋容器で閉じて、前記間隔固定手段の前記係合凹部と係合凸部を係合させて固定した状態で、前記底容器と蓋容器の前記連結部を除き、前記底容器と前記蓋容器の開口縁部の間に通気隙間が形成され、
下方へ突出する前記収容部は、
平板状の底部を有し、基板に位置する縁部は、一方側が幅広く他方側がやや窄まって形成され、前記平板状の底部は前記幅広い部分側へ偏った位置に設けられ、前記底部は、複数の斜板部を介して前記縁部とつながっており、
前記敷マットは、
前記底容器に立設された係合体に嵌め入れる位置決め穴が設けられ、前記底容器の前記収容部の位置には、適宜本数の切り込みで構成された変形収容部を備えており、
前記収容部に前記敷マットの上から苺を入れ込むことにより、前記敷マットの各変形収容部の切り込みで分かれた部分は、前記底容器の前記収容部の内面に沿うように変形し、苺は敷マットを介在させた状態で収容部に収まるようにしたことを特徴とする、
苺包装容器。
【発明の詳細な説明】
【技術分野】
【０００１】
本発明は、苺包装容器に関するものである。更に詳しくは、例えば果実を包装する包装容器において、容器の壁部に開けた通気孔などに比べて、横方向からの冷気などが効率よく通り抜けることができる通気部を有し、収容されている果実に対してより直接的で効果的な通気を可能にして、特に苺の鮮度を維持するために包装時の通気の確保が極めて重要な包装に有用なものに関する。
【背景技術】
【０００２】
例えば苺などの果実の包装には、専用の包装容器が使用されている。従前は、合成樹脂シート製の上部が開口した箱形容器を使用し、その容器の内部に苺を二層に並べて収容し、上部開口側にラップフィルムをかける包装形態が長く用いられてきた。
しかしながら、この包装形態では、苺を収容し包装した容器を積み重ねることができず販売時の陳列に場所をとることや、陳列時に見映えがせず高級志向の市場ニーズには対応できないなどの問題があった。これらの問題を解消することができるものとして、例えば特許文献１の苺用容器が提案されている。
【０００３】
特許文献１記載の苺用容器は、容器本体と蓋体からなり、容器本体と蓋体を閉じると柱で蓋体上面が支えられ、容器の積み重ねが可能なものである。このような容器は、容器本体と蓋体を閉じると、上記機能性を有する反面、箱形容器にラップフィルムをかける形態とは相違して、そのままでは内部がほぼ密封状態となるので、容器内部の通気性を確保する必要がある。このため、上記苺用容器においては、複数の通気孔が蓋体の上面（上壁）に設けられている。苺用容器は、通気孔によって容器内部が外気と連通することにより、温度差による曇りの発生が防止され、陳列時における容器内の苺の視認性が向上する。
【０００４】
【特許文献１】特開平８−２８２７５８
【発明の開示】
【発明が解決しようとする課題】
【０００５】
上記特許文献１記載の苺用容器には、次のような課題があった。
すなわち、苺用容器において通気孔が設けられているのは蓋体の上面だけであるが、例えば蓋体の上部に他の容器を積み重ねた場合も、容器本体底部に収容部の凹凸が設けられていることにより両容器の接触面間に隙間が形成され、これによって通気孔が塞がれることはなく通気は可能である。
【０００６】
しかしながら、上記構造では、容器内での外気の通り抜けが容易にはできないので、例えば輸送時に保冷室に収容しておく場合、容器内での冷気の通りが悪く、包装されている苺を冷却して鮮度を維持する上で好ましくない。
なお、保冷室内で容器を積み重ねると、冷気は隣り合う容器の隙間を通り横方向へ流れるが、上記構造では通気孔の位置及び形態が適合せず、冷気の流れを効率よく利用して苺を冷却することができない。
【０００７】
（本発明の目的）
本発明の目的は、苺包装容器において、容器の壁部に開けた通気孔などに比べて、特に横方向からの冷気などが効率よく通り抜けることができる通気部を有し、収容されている果実に対してより直接的で効果的な通気を可能にして、特に苺の鮮度を維持するために包装時の通気の確保が極めて重要な包装に有用な苺包装容器を提供することである。
【課題を解決するための手段】
【０００８】
上記課題を解決するために本発明が講じた手段は次のとおりである。
本発明は、底容器と蓋容器を含んで構成され、前記蓋容器の閉蓋時に前記底容器と蓋容器の間に通気部を有して収容された苺に対し横方向からの通気を可能にした苺包装容器であって、
透明または透視性を有し、全体が一枚または単一の合成樹脂シートで成形された容器本体と、
該容器本体内に収容して使用される緩衝用の敷マットと、
を備え、
前記容器本体は、
基板から下方へ突出する凹部である収容部を所要数備え、開口縁部の形状が四角形状の底容器と、
所要の一辺側が連結部を介して前記底容器とつながれて前記底容器と一体となっており、開口縁部の形状が四角形状の蓋容器と、
を備え、
前記底容器と蓋容器は、一枚又は単一の合成樹脂シートで成形され、前記連結部には通気孔を有し、
前記底容器の前記基板には、
前記蓋容器を閉じたときに蓋容器の天部に内側から当接する高さ、または多少の隙間がある高さに設定されている係合体が、上方へ垂直に立設されており、
前記底容器と蓋容器のそれぞれの開閉側の辺側には、協働して蓋容器の閉じる位置を決め係合状態を保持できるように形成されており、係合凸部と係合凹部で構成される間隔固定手段を備え、
前記底容器を前記蓋容器で閉じて、前記間隔固定手段の前記係合凹部と係合凸部を係合させて固定した状態で、前記底容器と蓋容器の前記連結部を除き、前記底容器と前記蓋容器の開口縁部の間に通気隙間が形成され、
下方へ突出する前記収容部は、
平板状の底部を有し、基板に位置する縁部は、一方側が幅広く他方側がやや窄まって形成され、前記平板状の底部は前記幅広い部分側へ偏った位置に設けられ、前記底部は、複数の斜板部を介して前記縁部とつながっており、
前記敷マットは、
前記底容器に立設された係合体に嵌め入れる位置決め穴が設けられ、前記底容器の前記収容部の位置には、適宜本数の切り込みで構成された変形収容部を備えており、
前記収容部に前記敷マットの上から苺を入れ込むことにより、前記敷マットの各変形収容部の切り込みで分かれた部分は、前記底容器の前記収容部の内面に沿うように変形し、苺は敷マットを介在させた状態で収容部に収まるようにしたことを特徴とする、
苺包装容器である。
【０００９】
（削除）
【００１０】
（削除）
【００１１】
（削除）
【００１２】
本発明は、隙間部が、収容部に被包装物を収容したとき、該被包装物と少なくとも一部が同じ高さになるように形成されているのがより好ましい。
【００１３】
隙間部は、底容器の開口縁部と蓋容器の開口縁部の間に、開口縁部に沿って連続的につながるように設けるのがより好ましいが、断続的に設けることもできる。隙間部の間隔は、隙間部を通る冷気などが、少なくとも被包装物の冷却や鮮度維持に寄与できれば特に限定はしない。なお、例えば底容器と蓋容器の間にクッション材などを入れる場合は、クッション材が隙間部を塞いで通気を止めてしまうことがないように適宜調節する。
【００１４】
（削除）
【００１５】
（削除）
【００１６】
（作用）
本発明に係る苺包装容器の作用を説明する。なお、ここでは、説明で使用する各構成要件のそれぞれに、後述する実施の形態において各部に付与した符号を対応させて付与するが、この符号は、特許請求の範囲の各請求項に記載した符号と同様に、あくまで説明の理解を容易にするためであって、各構成要件の意味を上記各部に限定するものではない。
【００１７】
包装容器の収容部(13)に被包装物を入れ、底容器(10)と蓋容器(11)を閉じることにより本発明に係る苺包装容器の包装形態となる。この包装形態では、底容器(10)の開口縁部と蓋容器(11)の間に各開口縁部に沿うように、または底容器(10)と蓋容器(11)をつないだ部分を除く全周にわたり隙間部(19)が形成される。
【００１８】
また、この隙間部(19)は、苺包装容器の横部に設けられており、設けられる範囲が長く、角度または方向が一定でなく、比較的広い通気口となっている。隙間部(19)には、横方向の様々な角度から流れてくる冷気が入りやすく、また抜けやすいので、包装容器内での冷気などの通り抜けが効率よく行われる。
【００１９】
これにより、例えば包装容器の各壁部に開けた通気孔などに比べて、冷気などが容易に通り抜けることができ、収容されている被包装物に対してより直接的で効果的な通気が可能になるので、特に苺の鮮度を維持するために包装時の通気の確保が極めて重要な包装に有用である。また、包装容器内外の温度差による曇り（微少な水滴）の発生が防止され、陳列時における包装容器内の苺の視認性が向上し、商品として見映えがするので、商品価値も高まる。
【００２０】
底容器(10)の開口縁部と蓋容器(11)の開口縁部の間隔を固定し隙間部(19)を形成する間隔固定手段(15,18)を備えているものは、例えば苺包装容器を積み重ねたときにも、隙間部(19)の間隔が変わることを防止できるので、良好な通気性を維持することが可能である。
【００２１】
隙間部(19)が、収容部(13)に被包装物を収容したとき、該被包装物と少なくとも一部が同じ高さになるように形成されているものは、隙間部(19)から入った冷気などが被包装物に直接当たりやすくなるので、被包装物を効果的に冷却して鮮度を維持する上でより好ましい。
【発明の効果】
【００２２】
（ａ）本発明に係る苺包装容器によれば、底容器の開口縁部と蓋容器の間に開口縁部に沿って、または底容器と蓋容器をつないだ部分を除く全周にわたり隙間部が形成され、隙間部は、包装容器の横部に設けられ、設けられる範囲が長く、角度または方向が一定でなく、比較的広い通気口となる。隙間部には、横方向の様々な角度から流れてくる冷気が入りやすく、また抜けやすいので、容器内での冷気などの通り抜けが効率よく行われる。これにより、例えば容器の各壁部に開けた通気孔などに比べて、冷気などが容易に通り抜けることができ、収容されている被包装物に対してより直接的で効果的な通気が可能になるので、特に苺の鮮度を維持するために包装時の通気の確保が極めて重要な包装に有用である。
また、底容器の開口縁部と蓋容器の開口縁部の間隔を固定し隙間部を形成する間隔固定手段を備えており、例えば苺包装容器を積み重ねたときにも、隙間部の間隔が変わらないので、良好な通気性を維持することが可能である。
【００２３】
（ｂ）包装状態では、底容器の係合体の上部が蓋容器の天部に内面側からほぼ当接しており、天部を本質的に変形しないよう支えることができる。これによれば、蓋容器の天部にある程度の荷重がかかっても変形しにくいので、苺を収容し包装した苺包装容器を多段に積み重ねることが可能になり、輸送や陳列をする際に省スペース化を図ることができ、多様な陳列も可能になる。
【００２４】
（ｃ）隙間部は、収容部に被包装物を収容したとき、該被包装物と少なくとも一部が同じ高さになるように形成されているものは、隙間部から入った冷気などが被包装物に直接当たりやすくなるので、被包装物を冷却して鮮度を維持する上でより好ましい。
【発明を実施するための最良の形態】
【００２５】
本発明を図に示した実施例に基づき詳細に説明する。
【実施例１】
【００２６】
図１は本発明に係る苺包装容器の第１実施の形態を示す上方斜視図、
図２は苺包装容器の第１実施の形態を示す上方斜視図、
図３は苺包装容器の第１実施の形態を示す下方斜視図、
図４は苺包装容器の第１実施の形態に使用する敷マットの斜視図である。
【００２７】
苺包装容器Ａ１は、透明または透視性を有する合成樹脂シートで成形された容器本体１と、容器本体１に入れて使用されるウレタン樹脂製のスポンジで形成された緩衝用敷物である敷マット２で構成されている。なお、容器本体１を形成する合成樹脂シートの種類は特に限定しない。また、敷マット２の材質も、緩衝性を有するものであれば上記に限定しない。
【００２８】
（容器本体１）
容器本体１は、開口縁部形状が本質的に四角形で同じ形状の底容器１０と蓋容器１１により構成されており、底容器１０と蓋容器１１は所要の一辺側が連結部１２を介してつながれて一体となった構造であり、一枚または単一のシートを成形してつくられている。連結部１２は平板部１２０を有し、平板部１２０には等間隔で三箇所に通気手段を構成するほぼ円形の通気孔１２１が設けられている。
【００２９】
連結部１２は、平板部１２０の上下両端に全長に設けられた径小の湾曲部１２２によって、それぞれ底容器１０と蓋容器１１につながれている。この構造によれば、角が形成されるようにしてつながれる構造（直角曲げ構造など）と比較して曲げに対する耐久性にすぐれており割れにくい。なお、連結部１２は、常態（外力が作用しない状態）では底容器１０と蓋容器１１を開くように付勢する作用を有する。
【００３０】
（底容器１０）
底容器１０には、図３に示すように六箇所に収容部１３が設けられている。各収容部１３は、水平な基板１００からそれぞれ下方へ突出するように設けられ、上面側から見ると凹部となっている。各収容部１３は、大粒の高級苺が収まりやすいように一方側が幅広く他方側がやや窄まり、平板状の底部１３０が上記幅広い部分側へ偏った位置に設けられ、苺の外径の一部をほぼ象った形状に形成されている。
【００３１】
そして、底部１３０はそれぞれ傾斜角度が異なる複数の斜板部１３１で収容部１３の縁部（基板１００の位置）とつながっている。また、各収容部１３の向き（平面視において窄まる方向）は底容器１０の辺方向と約４５°の角度を形成する向きで揃えてある。
【００３２】
底容器１０の基板１００の中央側二箇所（各々、周囲四箇所の収容部１３で囲まれる箇所）には、係合体１４が上方へ垂直に立つように設けられている。各係合体１４の上端は水平にかつ同じ高さに形成されている。各係合体１４の高さは、蓋容器１１を閉じたときに蓋容器１１の天部１７に内側から当接する高さ（または多少の隙間があってもよい）に設定されている。
【００３３】
底容器１０の周縁部には、全周にわたり段部１０１が基板１００から下側へ向け形成されている。この段部１０１は、底容器１０を補強する機能を有する。また、底容器１０の周縁部のうち、底容器１０の開閉側となる二箇所の隅部は平面視で円弧状に形成されている。
【００３４】
また、底容器１０の開閉側の長辺側二箇所と両端辺側二箇所には、上面側から見ると凹部となる係合凹部１５が基板１００から下方へ突出して設けられている。各係合凹部１５は間隔固定手段を構成し、後述する蓋容器１１の係合凸部１８と係合し協働して、蓋容器１１の閉じる位置を決め、係合状態を保持できるよう形成されている。なお、各係合凹部１５は各収容部１３の間からの延長位置に位置するよう設けられている。
【００３５】
（蓋容器１１）
蓋容器１１は、図１、図２に示すように上記底容器１０の収容部１３と対応する収容部１６が設けられている。各収容部１６は、水平な基板１１０からそれぞれ閉じたときの上方へ突出するように設けられ、下面側は凹部となっている。
【００３６】
また、各収容部１６の上部には、各収容部１６をつなぐようにほぼ長方形状の天部１７が設けられており、その周縁部には段部１７０が設けられている。この段部１７０は蓋容器１１を補強する機能を有する。なお、段部１７０の周縁部と各収容部１６は複数の斜板部１６０でつながれており、各収容部１６のの斜板１６０から膨出した部分は上記各収容部１３の対応部とほぼ対称となる形状に設けられている。
【００３７】
蓋容器１１の周縁部には、全周にわたり補強のための段部１１１が基板１１０から上側へ向け形成されている。また、蓋容器１１の周縁部のうち蓋容器１１の開閉側となる二箇所の隅部は平面視で円弧状に形成されている。
【００３８】
また、蓋容器１１の開閉側の長辺側二箇所と両端辺側二箇所には、基板１１０から下方へ突出して、上面側から見ると凹部となる係合凸部１８が設けられている（図５参照）。
各係合凸部１８は各収容部１６の間からの延長位置（長辺側ではほぼ三等分位置の内側二箇所、短辺側ではほぼ中央部）に位置するよう設けられている。各係合凸部１８は間隔固定手段を構成し、上記底容器１０の係合凹部１５と係合する。
【００３９】
底容器１０と蓋容器１１を閉じて、各係合凹部１５に各係合凸部１８を差し込み係合させて固定した状態では、図１ないし図３及び図６に示すように底容器１０の開口縁部と蓋容器１１の開口縁部の間に開口縁部同士が接触しない（非接触の）通気手段を構成する通気隙間１９が形成される。通気隙間１９は、底容器１０と蓋容器１１をつないだ連結部１２を除く全周（三辺部）にわたり形成される。
【００４０】
この構造によれば、苺包装容器Ａ１（または容器本体１）の横部に通気口が設けられる。この通気口となる通気隙間１９は、容器本体１の三辺部に沿うために設けられる範囲が長くなり、角度または方向も一定でなく（平面視コ字状）、比較的広い通気口となる。この通気隙間１９には、横方向の様々な角度から流れてくる冷気などが入りやすく、また抜けやすいので、苺包装容器Ａ１内での冷気などの通り抜けが効率よく行われる。
【００４１】
また、通気隙間１９は、収容部１３、１６に苺を収容したとき、この苺と少なくとも一部が同じ高さになるように形成されている（後述する図６参照）。
これによれば、通気隙間１９から入った冷気などが苺に直接当たりやすくなるので、苺を冷却して鮮度を維持する上でより好ましい。
【００４２】
更に、上記と同様に底容器１０と蓋容器１１を閉じた状態では、底容器１０の係合体１４の上部が蓋容器１１の天部１７に内面側からほぼ当接し（わずかに隙間がある状態）、天部１７が下方へわずかでも変形すれば、それを支えることができる。なお、底容器１０と蓋容器１１を閉じた状態で係合体１４の上部が天部１７に当接するようにしてもよい。
【００４３】
（敷マット２）
上記容器本体１に収容されて使用される敷マット２は、所要厚さで全体にほぼ長方形（四隅は円弧状）の板状であり、容器本体１に収容したときに底容器１０と蓋容器１１の開口縁部内側にほぼ収まる形状及び大きさにつくられている。
【００４４】
ウレタン樹脂製のスポンジで形成された敷マット２は、苺を載せたときに苺の荷重がかかっても苺表面を傷付けにくい適度なクッション性を有している。
敷マット２の中央側には、上記底容器１０の係合体１４に嵌め入れて係合することで敷マット２の位置を所要位置に決めるための位置決め穴２０が二箇所に設けられている。位置決め穴２０は、内周部が係合体１４の外周部に面が接触してちょうど嵌るように形成されているが、嵌め入れやすいように多少余裕をもって大きく形成してもよい。
【００４５】
また、敷マット２には、上記底容器１０の各収容部１３の位置に合わせて苺を入れ込んで変形させるための変形収容部２１を六箇所に備えている。各変形収容部２１は、八本の切り込みａ、ｂ、ｃ、ｄ、ｅ、ｆ、ｇ、ｈ、ｉで構成されている。切り込みａ、ｂとｃ、ｄは平行に設けられ、切り込みｅはこれらと直角に境界部を結んで設けられ、切り込みｆ、ｇは切り込みｅの一端から所要の角度をもって斜めに設けられ、更に切り込みｈ、ｉは切り込みｅの他端から所要の角度をもって斜めに設けられている。なお、切り込みの数はこれに限定されず、適宜設置できる。各切り込みａ〜ｉの基端を結ぶ線は、苺の投影形状を象るよう構成されている（図４において点線で表したＰ部分参照）。
【００４６】
敷マット２の周縁部には、上記底容器１０の係合凹部１５と蓋容器１１の係合凸部１８に対応する位置に切欠部２２が四箇所に設けられている。各切欠部２２は、係合凸部１８と接触しないようにすることで使用時の敷マット２の変形を防止するためのものである。
【００４７】
図５は苺包装容器の第１実施の形態において底容器の各収容部に敷マットの上から苺を収容した状態を示す斜視説明図、
図６は苺包装容器で苺を包装した状態の断面説明図である。
【００４８】
（作用）
苺の包装作業は次のように行う。
まず、敷マット２の位置決め穴２０を底容器１０の係合体１４に嵌め込み、敷マット２を底容器１０の上面に載せるように入れる。これによって、敷マット２の位置が、敷マット２の各変形収容部２１が底容器１０の各収容部１３の位置にそれぞれ合う所定の位置に自動的に決まる。このように、敷マット２の底容器１０に対する装着と位置決めが簡単にできるので、包装作業時の作業性を高めることができる。なお、この作業は包装作業の前作業として、あらかじめまとめて行っていてもよい。
【００４９】
底容器１０に敷マット２を上記のように入れた状態で、各収容部１３に敷マット２の上から苺Ｓを入れ込む。これにより、敷マット２の各変形収容部２１の切り込みａ〜ｉで分かれた部分が押されて収容部１３側へ収容部１３の内面に沿うように、またはなじむように変形し、苺Ｓは敷マット２を介在させた状態で各収容部１３に収まる（図５参照）。
【００５０】
なお、敷マット２の変形収容部２１を構成する切り込みａ〜ｉの基端を結ぶ線が、上記のように被包装物である苺の投影形状を象るよう構成されているので、上記のように苺を入れ込むときに、切り込みａ〜ｉで分かれた部分が苺の形状に沿って無理なく的確に変形することができ、敷マット２がずれたりいびつに変形することを防止できる。これにより、包装状態での苺Ｓの収まりをきれいにすることができ、包装状態を外から見たときに見映えがするので商品価値も高まる。そして、最後に容器本体１の蓋容器１１を閉じて包装する（図６参照）。
【００５１】
底容器１０と蓋容器１１を閉じて各係合凹部１５に各係合凸部１８を差し込み係合させて固定した状態では、底容器１０の開口縁部と蓋容器１１の開口縁部の間に、連結部１２を除く全周縁部（三辺部）にわたり通気隙間１９が形成される。この通気隙間１９の間隔は、底容器１０と蓋容器１１の間に挟まっている敷マット２の厚さ（本実施の形態では約５ｍｍ）より若干広くなるように設定されており、敷マット２の上方に十分な通気が可能な隙間（符号省略）が設けられている。
【００５２】
また、上記したように、通気隙間１９は、収容部１３、１６に苺Ｓを収容したとき、この苺Ｓと少なくとも一部が同じ高さになるように形成され、苺Ｓの収まっている位置とほぼ同じ高さにある。これにより、通気隙間１９に横方向から入った冷気などが容器内を通り抜けるときに、収容されている苺Ｓに対して直接的で効果的な通気及び冷却が可能になり、苺の鮮度の維持に貢献できる。
【００５３】
更に、上記包装状態では、底容器１０の係合体１４の上部が蓋容器１１の天部１７に内面側からほぼ当接しており、天部１７を本質的に変形しないよう支えることができる。これによれば、蓋容器１１の天部１７にある程度の荷重がかかっても変形しにくいので、苺Ｓを収容し包装した苺包装容器Ａ１を多段に積み重ねることが可能になり、輸送や陳列をする際に省スペース化を図ることができ、多様な陳列も可能になる。
【実施例２】
【００５４】
図７は本発明に係る苺包装容器の第２実施の形態を示す上方斜視図、
図８は苺包装容器の第２実施の形態を示す上方斜視図、
図９は苺包装容器の第２実施の形態を示す下方斜視図、
図１０は苺包装容器の第２実施の形態に使用する敷マットの斜視図、
図１１は苺包装容器の第２実施の形態において底容器の各収容部に敷マットの上から苺を収容した状態を示す斜視説明図である。
【００５５】
苺包装容器Ａ２は、苺の収容個数が六個ではなく八個であるところが上記苺包装容器Ａ１と相違するだけであり、構造的にもこの収容個数の違いに関連する部分のみが相違するだけである。したがって、苺包装容器Ａ２の説明では、図面において上記苺包装容器Ａ１と同等箇所に同一符号を付して示し、構造及び作用について重複する説明は基本的に省略する。
【００５６】
苺包装容器Ａ２は、容器本体１ａを構成する底容器１０ａに上記収容部１３と同様の収容部１３ａが八箇所に設けられており、係合体１４ａは中央の一箇所のみに設けられている。敷マット２ａには上記変形収容部２１と同様の変形収容部２１ａが同じく八箇所に設けられており、位置決め穴２０ａも中央の一箇所のみに設けられている。また、各収容部１３ａ及び変形収容部２１ａの向きは底容器１０ａの長辺方向と平行になる向きで揃えてある。
その他の部分の構造については、上記苺包装容器Ａ１と同様であるので、説明を省略する。また作用についても、苺Ｓの収容個数が八個である以外は同じく同様であるので、説明を省略する。
【００５７】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００５８】
【図１】本発明に係る苺包装容器の第１実施の形態を示す上方斜視図。
【図２】苺包装容器の第１実施の形態を示す上方斜視図。
【図３】苺包装容器の第１実施の形態を示す下方斜視図。
【図４】苺包装容器の第１実施の形態に使用する敷マットの斜視図。
【図５】苺包装容器の第１実施の形態において底容器の各収容部に敷マットの上から苺を収容した状態を示す斜視説明図。
【図６】苺包装容器で苺を包装した状態の断面説明図。
【図７】本発明に係る苺包装容器の第２実施の形態を示す上方斜視図。
【図８】苺包装容器の第２実施の形態を示す上方斜視図。
【図９】苺包装容器の第２実施の形態を示す下方斜視図。
【図１０】苺包装容器の第２実施の形態に使用する敷マットの斜視図。
【図１１】苺包装容器の第２実施の形態において底容器の各収容部に敷マットの上から苺を収容した状態を示す斜視説明図。
【符号の説明】
【００５９】
Ａ１  苺包装容器
１  容器本体
１０  底容器
１００  基板
１０１  段部
１１  蓋容器
１１０  基板
１１１  段部
１２  連結部
１２０  平板部
１２１  通気孔
１２２  湾曲部
１３  収容部
１３０  底部
１３１  斜板部
１４  係合体
１５  係合凹部
１６  収容部
１６０  斜板部
１７  天部
１７０  段部
１８  係合凸部
１９  通気隙間
２  敷マット
２０  位置決め穴
２１  変形収容部
ａ、ｂ、ｃ、ｄ、ｅ、ｆ、ｇ、ｈ、ｉ  切り込み
２２  切欠部
Ａ２  苺包装容器
１ａ  容器本体
１０ａ  底容器
１１ａ  蓋容器
１３ａ  収容部
１４ａ  係合体
２ａ  敷マット
２０ａ  位置決め穴
２１ａ  変形収容部
Ｓ  苺
【図１】
0004838597.tif 000002
【図２】
0004838597.tif 000003
【図３】
0004838597.tif 000004
【図４】
0004838597.tif 000005
【図５】
0004838597.tif 000006
【図６】
0004838597.tif 000007
【図７】
0004838597.tif 000008
【図８】
0004838597.tif 000009
【図９】
0004838597.tif 000010
【図１０】
0004838597.tif 000011
【図１１】
0004838597.tif 000012